(57)【要約】【課題】  印刷用紙の紙粉等をムラなく除去し、印刷用紙をスムースに搬送することが可能な給紙装置を提供することを目的とする。【解決手段】  この給紙装置は、その丈夫に印刷用紙Ｓを載置するための紙置き台１０と、ローラ対１２、１３、および一対のローラ１４間に巻回された無端ベルト１５から構成される搬送機構と、実線で示す位置と仮想線で示す位置との間を往復移動するサッカー１８と、ブラシローラ２１と、ブラシローラ２１を包囲する集塵ダクト２２と、集塵ダクト２２内に配設されるドクターブレード２３と、集塵ダクトに接続される真空ポンプと、を備える。ブラシローラ２１は、少なくともそのブラシの先端が搬送される印刷用紙Ｓの上面に接触するように配置され、ブラシローラ２１の周速度は、印刷用紙Ｓの搬送速度以上の周速度となるように調整されている。【選択図】        図１
2006298591.tif 000002
【特許請求の範囲】
【請求項１】
紙置き台上に載置された印刷用紙の上面をサッカーにより吸着保持して印刷ユニットに搬送する給紙装置であって、
少なくともそのブラシ毛の先端が搬送される印刷用紙の上面に接触し、当該印刷用紙の搬送速度以上の周速度で回転するブラシローラと、
前記ブラシローラを包囲する集塵ダクトと、
前記集塵ダクトに接続される吸引手段と、
を備えることを特徴とする給紙装置。
【請求項２】
請求項１に記載の給紙装置において、
前記ブラシローラの印刷用紙に対する当接圧を調整する当接圧調整手段を備える給紙装置。
【請求項３】
請求項２に記載の給紙装置において、
印刷用紙の情報に基づいて、前記ブラシローラの印刷用紙に対する当接圧を調整するように、前記当接圧調整手段を制御する制御部を備える給紙装置。
【請求項４】
請求項１乃至請求項３のいずれかに記載の給紙装置において、
前記ブラシローラの周速度を調整する周速度調整手段を備える給紙装置。
【請求項５】
請求項４に記載の給紙装置において、
印刷用紙の情報に基づいて、前記ブラシローラの周速度を調整するように、前記周速度調整手段を制御する制御部を備える給紙装置。
【請求項６】
請求項１乃至請求項５のいずれかに記載の給紙装置において、
少なくとも前記ブラシローラのブラシ毛の先端と当接するドクターブレードを備える給紙装置。
【請求項７】
請求項１乃至請求項６に記載の給紙装置において、
前記ブラシローラの静電気を除去するための除電手段を備える給紙装置。
【発明の詳細な説明】
【技術分野】
【０００１】
この発明は、紙置き台上に載置された印刷用紙の上面をサッカーにより吸着保持して印刷ユニットに搬送する給紙装置に関する。
【背景技術】
【０００２】
このような給紙装置において、特許文献１および特許文献２に記載のように印刷用紙に付着した紙粉や裏写り防止のためのパウダーを除去する装置が公知となっている。
【０００３】
すなわち、特許文献１には、印刷用紙に対して空気を吹き付けるノズルと、印刷用紙に摺接するように配設されたブラシとを備える装置が記載されている。
【０００４】
また、特許文献２には、印刷物としてのダンボールの表面に接触した状態で遊転自在に配設された回転ブラシロールと、回転ブラシロールの下流側に配置される紙粉吸引用の真空ノズルとを備える装置が記載されている。
【特許文献１】特開２００２−２１０９１９
【特許文献２】特開２００１−０３８８８０
【発明の開示】
【発明が解決しようとする課題】
【０００５】
しかしながら、特許文献１に記載の装置では、ブラシが固定されているため、紙粉の大きさや印刷用紙の状態の変化に対応することができず、紙粉等の除去にムラが生じる場合がある。
【０００６】
また、特許文献２に記載の装置では、回転ブラシロールは、搬送される印刷物によって従動回転し、その回転を調整することができない。このため、一般的な商業印刷に用いる比較的薄い印刷用紙の場合には、この回転ブラシロールによって給紙が阻害される可能性がある。
【０００７】
この発明は、以上のような課題を解決するためになされたものであり、印刷用紙の紙粉等をムラなく除去し、比較的薄い印刷用紙であってもスムースに搬送することが可能な給紙装置を提供することを目的とする。
【課題を解決するための手段】
【０００８】
請求項１に記載の発明は、紙置き台上に載置された印刷用紙の上面をサッカーにより吸着保持して印刷ユニットに搬送する給紙装置であって、少なくともそのブラシ毛の先端が搬送される印刷用紙の上面に接触し、当該印刷用紙の搬送速度以上の周速度で回転するブラシローラと、前記ブラシローラを包囲する集塵ダクトと、前記集塵ダクトに接続される吸引手段と、を備えることを特徴とする。
【０００９】
請求項２に記載の発明は、請求項１に記載の給紙装置において、前記ブラシローラの印刷用紙に対する当接圧を調整する当接圧調整手段を備える。
【００１０】
請求項３に記載の発明は、請求項２に記載の給紙装置において、印刷用紙の情報に基づいて、前記ブラシローラの印刷用紙に対する当接圧を調整するように、前記当接圧調整手段を制御する制御部を備える。
【００１１】
請求項４に記載の発明は、請求項１乃至請求項３のいずれかに記載の給紙装置において、前記ブラシローラの周速度を調整する周速度調整手段を備える。
【００１２】
請求項５に記載の発明は、請求項４に記載の給紙装置において、印刷用紙の情報に基づいて、前記ブラシローラの周速度を調整するように、前記周速度調整手段を制御する制御部を備える。
【００１３】
請求項６に記載の発明は、請求項１乃至請求項５のいずれかに記載の給紙装置において、少なくとも前記ブラシローラのブラシ毛の先端と当接するドクターブレードを備える。
【００１４】
請求項７に記載の発明は、請求項１乃至請求項６に記載の給紙装置において、前記ブラシローラの静電気を除去するための除電手段を備える。
【発明の効果】
【００１５】
請求項１に記載の発明によれば、少なくともそのブラシ毛の先端が搬送される印刷用紙の上面に接触し、印刷用紙の搬送速度以上の周速度で回転するブラシローラと、ブラシローラを包囲する集塵ダクトと、集塵ダクトに接続される吸引手段と、を備えることから、印刷用紙の紙粉等をムラなく除去し、印刷用紙をスムースに搬送することが可能となる。
【００１６】
請求項２に記載の発明によれば、ブラシローラの印刷用紙に対する当接圧を調整する当接圧調整手段を備えることから、印刷用紙の種類の変更にかかわらず、印刷用紙の紙粉等をムラなく除去し、印刷用紙をスムースに搬送することが可能となる。
【００１７】
請求項３に記載の発明によれば、印刷用紙の情報に基づいて、ブラシローラの印刷用紙に対する当接圧を調整するように、当接圧調整手段を制御する制御部を備えることから、印刷用紙の種類の変更等に応じて簡易に印刷用紙の紙粉等をムラなく除去し、印刷用紙をスムースに搬送することが可能となる。
【００１８】
請求項４に記載の発明によれば、ブラシローラの周速度を調整する周速度調整手段を備えることから、印刷用紙の種類の変更にかかわらず、印刷用紙をスムースに搬送することが可能となる。
【００１９】
請求項５に記載の発明によれば、印刷用紙の情報に基づいて、ブラシローラの周速度を調整するように、周速度調整手段を制御する制御部を備えることから、印刷用紙の種類の変更等に応じて簡易に印刷用紙をスムースに搬送することが可能となる。
【００２０】
請求項６に記載の発明によれば、少なくとも前記ブラシローラのブラシ毛の先端と当接するドクターブレードを備えることから、ブラシローラに付着した紙粉等を有効的に除去することが可能となる。
【００２１】
請求項７に記載の発明によれば、ブラシローラの静電気を除去するための除電手段を備えることから、効率よく印刷用紙の紙粉等を除去することが可能となる。
【発明を実施するための最良の形態】
【００２２】
以下、この発明の実施の形態を図面に基づいて説明する。図１はこの発明に係る給紙装置の側面図であり、図２はその正面図である。
【００２３】
この給紙装置は、その上部に印刷用紙Ｓを載置するための紙置き台１０と、ローラ対１２、１３および一対のローラ１４間に巻回された無端ベルト１５から構成される搬送機構と、図１において実線で示す位置と仮想線で示す位置との間を往復移動するサッカー１８と、印刷用紙Ｓの上面の高さを検出するためのセンサ４１と、ブラシローラ２１と、ブラシローラ２１を包囲する集塵ダクト２２と、集塵ダクト２２内に配設されるドクターブレード２３と、集塵ダクトに接続される図示しない真空ポンプ４５（図５参照）と、を備える。
【００２４】
印刷用紙Ｓの上面の高さを検出するためのセンサ４１は、少なくとも、印刷用紙Ｓにおけるサッカー１８側の端部部分において、中央部と両端部の印刷用紙Ｓの高さ位置を検出しうる構成となっている。このセンサ４１は、サッカー１８の近傍に配設されることが好ましい。なお、このセンサ４１として、非接触で印刷用紙Ｓの高さ位置を検出し得る超音波センサーや光学センサー等を採用することができる。
【００２５】
紙置き台１０は、図示しないモータの駆動により印刷用紙Ｓの増減に応じて上下方向に移動可能となっている。
【００２６】
ローラ対１２、１３および一対のローラ１４は、図２に示す回転モータ４２に接続され、同期して回転可能な構成となっている。
【００２７】
図３はブラシローラ２１周辺を拡大して示す側面図であり、図４はその正面図である。
【００２８】
ブラシローラ２１は、その中心軸を中心にしてブラシ毛が螺旋面を形成するように並ぶ螺旋ブラシから構成される。また、静電気の発生を防止するため、このブラシローラ２１のブラシ毛として、馬や豚等の自然毛や、カーボンブラシ等の導電性材料を利用することが好ましい。
【００２９】
このブラシローラ２１は、当接圧調整手段としての図示しない駆動モータ４４（図５参照）に接続され、その高さ位置が調整可能となっている。すなわち、ブラシローラ２１の印刷用紙に対する当接圧が調整可能となっている。このため、印刷用紙Ｓの種類が変更された場合であっても、駆動モータ４４の駆動により、ブラシローラ２１を少なくともそのブラシの先端が搬送される印刷用紙Ｓの上面に接触するように配置することが可能となる。これにより、印刷用紙Ｓに付着する紙粉等をムラなく除去することが可能となる。
【００３０】
また、ブラシローラ２１の当接圧はブラシローラ２１の回転速度とともに印刷用紙Ｓの搬送性にも影響を与え、当接圧が高すぎるとジャム等の搬送不良を生じる場合があった。また、印刷用紙Ｓに当接するブラシローラ２１の当接圧が印刷用紙Ｓの幅方向で大きく異なる場合には印刷用紙Ｓに蛇行が生じることもわかった。したがって、ブラシローラ２１の当接圧と回転速度とは印刷用紙の種類と搬送速度（印刷速度）に対応して搬送不良が生じないような速度設定を実験的に求めておき、後述するＲＯＭ１０１等に格納しておくのが好ましい。これにより、例えば印刷用紙Ｓの紙の厚さ、紙のサイズ、紙種等に応じてブラシローラ２１の当接圧と回転速度とを最適な条件に調整することができる。また、さらに当接圧調整手段としてブラシローラ２１の左右の両軸端側をそれぞれ個別の駆動モータ４４により印刷用紙Ｓ面に向かって接離移動するように構成し、ブラシローラ２１の左右の当接圧のバランスの調整をとることができるようにしてもよい。
【００３１】
また、このブラシローラ２１は、図２に示す回転モータ４３に接続されて回転可能な構成となっており、回転モータ４３を制御することにより、このブラシローラ２１の周速度が調整可能となっている。このため、印刷用紙Ｓの種類が変更された場合であっても、周速度を調整することにより、印刷用紙Ｓをスムースに搬送することが可能となる。なお、このブラシローラ２１の周速度は、印刷用紙Ｓの搬送速度以上の周速度となるように調整されている。このため、印刷用紙Ｓがブラシローラ２１により詰まったり、停止したりすることを防止することが可能となる。
【００３２】
なお、出願人の実験では、印刷用紙Ｓの搬送速度に対して１２０乃至２００％の周速度でブラシローラ２１を回転駆動させるようにしたところ搬送不良を生じることなく良好に紙粉等を除去でき、特に回転速度が速いほど紙粉等を多く除去することができた。ただし、ブラシローラ２１の回転速度を速くするほど印刷用紙Ｓの後端がブラシローラ２１に巻き上げられる傾向にあるため、例えばコシの弱い薄手の印刷用紙を使用する場合には、ブラシローラ２１の後流側に印刷用紙Ｓの巻き上げ防止のための案内ガイドを別途備えることが好ましい。
【００３３】
さらに、このブラシローラ２１は、その静電気を除去するための除電手段として、電気的にアースに接続される構成となっている。このため、ブラシローラ２１に付着した紙粉等を容易に除去することができ、ブラシローラ２１が常に清潔に維持される。これにより、効率よく印刷用紙Ｓの紙粉等を除去することが可能となる。
【００３４】
ドクターブレード２３は、ブラシローラ２１のブラシ毛の先端と当接する。このため、ブラシローラ２１が回転すると、ブラシ毛に付着した紙粉等がドクターブレード２３により跳ね飛ばされ、常にブラシローラ２３を清潔に維持することが可能となる。
【００３５】
集塵ダクト２３は、ブラシローラ２１を包囲するように配置され、図示しない真空ポンプ４５（図５参照）に接続されている。このため、ブラシローラ２１に付着した紙粉等を真空ポンプ４５の駆動により吸引することが可能となる。
【００３６】
なお、この集塵ダクト２３は、印刷ユニット等の固定された壁面２４に穿設された長穴２５にピン２６で固定されている。したがって、この集塵ダクト２３の固定位置は、ピン２６を手動で調整することにより変更可能であるが、ブラシローラ２１の当接圧調整手段としての駆動モータ４４により、ブラシローラ２１と一体的に高さ位置を調整するようにしてもよい。このため、印刷用紙Ｓの種類が変更された場合であっても、印刷用紙Ｓの搬送経路を阻むことなく、印刷用紙Ｓをスムースに搬送することが可能となる。
【００３７】
図５は、この発明に係る給紙装置の主要な電気的構成を示すブロック図である。
【００３８】
この給紙装置は、装置の制御に必要な動作プログラムや印刷用紙の種類に応じてブラシローラ２１の当接圧や回転速度を設定する条件が格納されたＲＯＭ１０１と、制御時にデータが一時的にストアされるＲＡＭ１０２と、論理演算を実行するＣＰＵ１０３とを有する制御部１００とを備える。この制御部１００は、印刷用紙Ｓの上面の高さを検出するためのセンサ４１、図２に示す回転モータ４２、４３、ブラシローラ２１の当接圧調整手段としての駆動モータ４４、および、集塵ダクト２２に接続される真空ポンプ４５と、インターフェース１０４を介して接続されている。なお、この実施形態においては、印刷用紙Ｓの種類に基づいて、ブラシローラ２１の当接圧および周速度を自動的に調整するように、駆動モータ４４および回転モータ４２が制御される構成となっている。
【００３９】
このような給紙装置においては、紙置き台１０上の印刷用紙Ｓは、サッカー１８によりその上面の端縁付近を吸着保持され、ローラ対１２に狭持される位置まで搬送される。そして、この印刷用紙Ｓは、ローラ対１２、１３および無端ベルト１５から構成される搬送機構により、印刷ユニットまで搬送される。印刷用紙Ｓが搬送機構により搬送される間に、印刷用紙Ｓの上面に付着した紙粉等は、ブラシローラ２１により掃われ、あるいは、ブラシローラ２１に付着し、印刷用紙Ｓから除去される。このようにしてブラシローラ２１に付着した紙粉等は、ブラシローラ２１のブラシ毛がドクターブレード２３と当接しながら回転することにより、ブラシローラ２１から除去される。そして、ブラシローラ２１により掃われ、あるいは、ブラシローラ２１から除去された紙粉等は、集塵ダクト２３に接続された真空ポンプ４５の駆動により、集塵ダクト２３の外へ排出される。
【００４０】
これにより、この発明に係る給紙装置によれば、印刷用紙Ｓの紙粉等をムラなく除去し、印刷用紙Ｓをスムースに搬送することが可能となる。
【００４１】
なお、上述した実施形態においては、ブラシローラ２１と搬送機構とは回転モータ４２と回転モータ４３との別個の駆動源により駆動する構成を採用しているが、ブラシローラ２１は搬送機構の駆動源と同一の駆動源により駆動する構成としてもよい。この場合には、ブラシローラ２１への駆動の伝達に使用されるギヤと搬送機構への駆動の伝達に使用されるギヤとのギヤ比を変更することにより、それぞれの周速度を変更することが可能となる。
【００４２】
また、上述した実施形態においては、ブラシローラ２１の除電手段として、ブラシローラ２１が電気的にアースに接続される構成を採用しているが、放電によりイオン化した空気をファンで帯電物に吹き付けることによって帯電物の静電気を中和するイオンブロアを集塵ダクト２２に接続する構成を採用してもよい。
【００４３】
また、上述した実施形態において、当接圧調整手段としてブラシローラ２１が駆動モータ４４によって上下動される構成を採用しているが、その他圧電駆動等の精密駆動素子による上下動や、もしくは手動によりブラシローラ２１の高さ位置を変更可能な手段を採用してもよい。
【００４４】
さらに、必要により、印刷用紙の両面に対して本発明のブラシローラ２１を備えるようにしてもよい。
【図面の簡単な説明】
【００４５】
【図１】この発明に係る給紙装置の側面図である。
【図２】この発明に係る給紙装置の正面図である。
【図３】ブラシローラ２１周辺を拡大して示す側面図である。
【図４】ブラシローラ２１周辺を拡大して示す正面図である。
【図５】この発明に係る給紙装置の主要な電気的構成を示すブロック図である。
【符号の説明】
【００４６】
１０    紙置き台
１２    ローラ対
１３    ローラ対
１４    一対のローラ
１５    無端ベルト
１８    サッカー
２１    ブラシローラ
２２    集塵ダクト
２３    ドクターブレード
２４    壁
２５    長穴
２６    ピン
４１    センサ
４２    回転モータ
４３    回転モータ
４４    駆動モータ
４５    真空ポンプ
１００  制御部
１０１  ＲＯＭ
１０２  ＲＡＭ
１０３  ＣＰＵ
１０４  インターフェース
Ｓ      印刷用紙
【図１】
2006298591.tif 000003
【図２】
2006298591.tif 000004
【図３】
2006298591.tif 000005
【図４】
2006298591.tif 000006
【図５】
2006298591.tif 000007